(57)【要約】【課題】治療器等の電子機器の薄型化や小型化に寄与すると共に、組立と分解とを容易にする。【解決手段】基板収容室２１と電池収容室４３とが厚さ方向に隣接して設けられ、これら基板収容室２１と電池収容室４３とを区画する隔壁４１に貫通孔４５が形成された筐体２０と、電池収容室４３において隔壁４１に沿って着脱自在に設けられた電池本体及び電池本体に設けられた接続端子７２を有する電池７０と、基板収容室２１において隔壁４１に沿って設けられた基板本体６１及び基板本体６１から貫通孔４５を介して電池収容室４３に延びる駆動端子６２を有する基板６０とを備え、駆動端子６２は、電池７０から隔壁４１に沿った方向に押圧されて、筐体２０の受圧部４６と電池７０との間で弾性変形をしており、基板６０は、駆動端子６２と受圧部４６との係合により、筐体２０に係止されていることを特徴とする。【選択図】図３
2010240164.tif 000002
【特許請求の範囲】
【請求項１】
基板収容室と電池収容室とが厚さ方向に隣接して設けられ、これら基板収容室と電池収容室とを区画する隔壁に貫通孔が形成された筐体と、
前記電池収容室において前記隔壁に沿って着脱自在に設けられた電池本体及び前記電池本体に設けられた接続端子を有する電池と、
前記基板収容室において前記隔壁に沿って設けられた基板本体及び前記基板本体から前記貫通孔を介して前記電池収容室に延びる駆動端子を有する基板とを備え、
前記駆動端子は、前記電池から前記隔壁に沿った方向に押圧されて、前記筐体の受圧部と前記電池との間で弾性変形をしており、
前記基板は、前記駆動端子と前記受圧部との係合により、前記筐体に係止されていることを特徴とする基板係止構造。
【請求項２】
前記電池は、前記弾性変形した駆動端子の弾性復帰力により、前記電池収容室壁に押圧されて前記筐体に係止されていることを特徴とする請求項１に記載の基板係止構造。
【請求項３】
前記電池収容室は、前記隔壁において前記厚さ方向に凹んで構成され、
前記貫通孔は、前記電池収容室の床部から側壁部に亘って形成されており、
前記受圧部は、前記側壁部に沿って前記厚さ方向に延出すると共に、前記貫通孔のうち側壁部に形成された部分に、間隙を介して対向していることを特徴とする請求項１又は２に記載の基板係止構造。
【請求項４】
前記電池収容室は、前記隔壁において前記厚さ方向に凹んで形成され、
前記貫通孔は、前記電池収容室の床部に形成されており、
前記受圧部は、前記貫通孔の縁部とされていることを特徴とする請求項１又は２に記載の基板係止構造。
【請求項５】
前記駆動端子は、前記基板の長手方向における中央側に設けられていることを特徴とする請求項１から４のうちいずれか一項に記載の基板係止構造。
【請求項６】
前記電池本体は、側部において内方側に凹むと共に前記接続端子が設けられた窪みを有し、
前記駆動端子は、前記接続端子に向けて突出する突部を有することを特徴とする請求項１から５のうちいずれか一項に記載の基板係止構造。
【請求項７】
請求項１から６のうちいずれか一項に記載の基板係止構造を有する電子機器。
【請求項８】
請求項１から６のうちいずれか一項に記載の基板係止構造を有する治療器。
【発明の詳細な説明】
【技術分野】
【０００１】
本発明は、基板係止構造、並びに、これを備えた治療器及び電子機器に関するものである。
【背景技術】
【０００２】
周知のように、スポーツ医療の分野においては、運動者の体内に微弱電流を流して、運動によって傷ついた細胞の治癒や修復を促進する電子式の治療器が用いられている。このような治療器の一種として、持ち運びの利便性に優れたポータブル型のものがある。この種の治療器は、自宅や運動場、あるいはこれらの移動中にも常に治療を行うことができるために、運動者のコンディションを良好に維持し易いという利点を有している。
ところで、上記のような治療器に限らず、ポータブル型の電子機器は、持ち運びの利便性を向上させるために薄型化や軽量化が要請される。
【０００３】
例えば、電子機器の薄型化を図った構造の一つとして、各種電子素子が実装された基板と、この基板に電源を供給する薄型の電池とを、薄型の筐体内に重ねるようにして収容するものがある。この構造においては、基板を筐体にネジ止めして固定することにより、基板の損傷や電子素子の破損を防止している（例えば、下記特許文献１）。
【先行技術文献】
【特許文献】
【０００４】
【特許文献１】特開２００９−４８３０号公報
【発明の概要】
【発明が解決しようとする課題】
【０００５】
しかしながら、従来の技術では、基板を筐体にネジ止めするために、十分な固定力を生じさせようとすると、ネジの長さを大きくしたり、筐体の肉厚を大きくしたりしなければならず、その分だけ電子機器の厚さ寸法や長さ寸法が増えてしまうという問題があった。
また、組立作業や分解作業の際に、ネジの取り付けや取り外しが必要となるために、作業時間や労力が増加するという問題があった。
【０００６】
本発明は、このような事情を考慮してなされたもので、その目的は、薄型化や小型化に寄与することができ、組立と分解とが容易な基板係止構造、並びに、これを備えた電子機器及び治療器を提供することにある。
【課題を解決するための手段】
【０００７】
上記目的を達成するために、本発明は以下の手段を採用している。
すなわち、本発明に係る基板係止構造は、基板収容室と電池収容室とが厚さ方向に隣接して設けられ、これら基板収容室と電池収容室とを区画する隔壁に貫通孔が形成された筐体と、前記電池収容室において前記隔壁に沿って着脱自在に設けられた電池本体及び前記電池本体に設けられた接続端子を有する電池と、前記基板収容室において前記隔壁に沿って設けられた基板本体及び前記基板本体から前記貫通孔を介して前記電池収容室に延びる駆動端子を有する基板とを備え、前記駆動端子は、前記電池により前記隔壁に沿った方向に押圧されて、前記筐体の受圧部と前記電池との間で弾性変形をしており、前記基板は、前記駆動端子と前記受圧部との係合により、前記筐体に係止されていることを特徴とする。
この構成によれば、駆動端子が、電池により隔壁に沿った方向に押圧されて、駆動端子と筐体の受圧部との係合により、基板が筐体に係止されているので、基板を筐体に固定するためのネジを用いる必要がない。これにより、薄型化・小型化に寄与することができる。
また、電池を筐体に装着すると基板が係止されると共に、電池を筐体から離脱させると基板の係止が解除される。これにより、組立と分解とを容易にすることができる。
従って、薄型化・小型化に寄与することができ、組立と分解とが容易な基板係止構造を提供することができる。
【０００８】
また、前記電池は、前記弾性変形した駆動端子の弾性復帰力により、前記電池収容室壁に押圧されて前記筐体に係止されていることを特徴とする。
この構成によれば、電池が駆動端子の弾性復帰力により電池収容室壁に押圧されて筐体に係止されているので、電池を係止する構造を別途設ける必要がない。これにより、より薄型化に寄与することができる。
【０００９】
また、電池収容室が隔壁において厚さ方向に凹んで構成され、貫通孔が電池収容室の床部から側壁部に亘って形成されており、受圧部が側壁部に沿って厚さ方向に延出すると共に貫通孔のうち側壁部に形成された部分に、間隙を介して対向していることを特徴とする。
この構成によれば、貫通孔が、電池収容室の床部から側壁部に亘って形成されており、前記受圧部が、側壁部に沿うと共に、貫通孔のうち側壁部に形成された部分に、間隙を介して対向しているので、押圧方向（隔壁に沿った方向）において電池と受圧部とが直線上に位置する。これにより、駆動端子を、小さい押圧力で大きく弾性変形させることができ、基板を強固に係止することが可能となる。
【００１０】
また、前記電池収容室は、前記隔壁において前記厚さ方向に凹んで形成され、前記貫通孔は、前記電池収容室の床部に形成されており、前記受圧部は、前記貫通孔の縁部とされていることを特徴とする。
この構成によれば、受圧部が貫通孔の縁部とされているので、簡素な構成で基板を係止することが可能となる。
【００１１】
また、前記駆動端子は、前記基板の長手方向における中央側に設けられていることを特徴とする。
この構成によれば、駆動端子が、基板の長手方向における中央側に設けられているので、基板の長手方向における両端部のうちの一方の端部に、筐体から離間する方向へ外力が作用した場合に、駆動端子と受圧部との接触点が回転中心となって、他方の端部が筐体へ押し付けられ、基板が筐体から離間することが防止される。これにより、基板を筐体に対してより強固に係止することができる。
【００１２】
また、前記電池本体は、側部において内方側に凹むと共に前記接続端子が設けられた窪みを有し、前記駆動端子は、前記接続端子に向けて突出する突部を有することを特徴とする。
この構成によれば、電池本体が、内方側に凹むと共に接続端子が設けられた窪みを有し、駆動端子が、接続端子に向けて突出する突部を有するので、仮に基板が筐体から離脱しそうになったときに、突部が窪みに引っ掛かる。これにより、基板が筐体から離脱することを防止することができる。
【００１３】
また、本発明に係る治療器は、上記いずれかの基板係止構造を有することを特徴とする。
この構成によれば、上記いずれかの基板係止構造を有するので、薄型化・小型化を図ることができると共に、組立と分解とが容易で生産性やメンテナンス性に優れた治療器を提供することができる。
【００１４】
また、本発明に係る電子機器は、上記いずれかの基板係止構造を有することを特徴とする。
この構成によれば、上記いずれかの基板係止構造を有するので、薄型化・小型化を図ることができると共に、組立と分解とが容易で生産性やメンテナンス性に優れた電子機器を提供することができる。
【発明の効果】
【００１５】
本発明によれば、薄型化に寄与することができ、組立と分解とを容易な基板係止構造、並びに、これを備えた電子機器及び治療器を提供することができる。
【図面の簡単な説明】
【００１６】
【図１】本発明の実施形態に係る治療器１の外観構成斜視図である。なお、図１においては、上面側から見た構成を示している。
【図２】本発明の実施形態に係る治療器本体１０の分解構成斜視図である。なお、図２においては、下面側から見た構成を示している。
【図３】本発明の実施形態に係る治療器本体１０の断面図であって、図２におけるＩ−Ｉ線に相当する断面を示した図である。
【図４】本発明の実施形態に係る下部筐体４０の要部拡大図であって、図２における矢印IIが示す方向から見た貫通孔４５と受圧壁４６とを示した拡大斜視図である。
【図５】本発明の実施形態に係る駆動端子６２の拡大斜視図である。
【図６】本発明の実施形態に係る治療器本体１０の第一の組み立て説明図である。
【図７】本発明の実施形態に係る治療器本体１０の第二の組み立て説明図である。
【図８】本発明の実施形態に係る治療器本体１０の第三の組み立て説明図である。
【図９】本発明の実施形態に係る治療器本体１０の第一の作用説明図である。
【図１０】本発明の実施形態に係る治療器本体１０の第二の作用説明図である。
【図１１】本発明の実施形態に係る治療器本体１０の第三の作用説明図である。
【図１２】本発明の実施形態に係る治療器本体１０の変形例である治療器本体１００の概略構成断面図である。
【発明を実施するための形態】
【００１７】
以下、図面を参照し、本発明の実施の形態について説明する。
図１は、本発明の実施形態に係る治療器１の外観構成斜視図である。
図１に示すように、治療器１は、患部に微弱電流を与えて細胞の修復を促進するものであり、生体に貼付されて患部に微弱電流を加えるプローブ２と、微弱電流を発生させてプローブ２に微弱電流を供給する治療器本体１０とを有している。
【００１８】
図１に示すように、プローブ２は、生体に貼付可能な放射部２ａと、放射部２ａを治療器本体１０に接続するコネクタを有するコード２ｂとからなる。
【００１９】
治療器本体１０は、図１に示すように、電源ボタン２２、治療モード切替用のボタン２３、電流の強弱切替ボタン２４を筐体２０の上面２０ａに有している。
【００２０】
図２は、図１とは異なる方向から見た治療器本体１０の分解構成斜視図であり、図３は、治療器本体１０の要部断面図であって、図２におけるＩ−Ｉ線に相当する断面を示した図である。
図２に示すように、治療器本体１０は、上部筐体３０と下部筐体４０と蓋体５０とに分割可能な筐体２０と、基板６０と、電池７０とを有している。
【００２１】
筐体２０は、比較的に薄型・小型のものである（図１参照）。この筐体２０は、互いに合成樹脂で成形された上部筐体３０と下部筐体４０とが、厚さ方向に重ねられると共に、下部筐体４０に蓋体５０が装着されることによって構成されている。
【００２２】
図２に示すように、上部筐体３０は、略矩形に成形された主壁部３１の周縁部から、周壁部３２が略垂下してなる箱型のものである。この上部筐体３０の主壁部３１においては、周壁部３２と逆方向に電源ボタン２２等が突出している（図１参照）。
【００２３】
下部筐体４０は、主壁部４１（隔壁）の周縁から、周壁部４２が主壁部４１と直交する方向に延出した箱型のものである。この下部筐体４０は、図３に示すように、周壁部４２の先端が周壁部３２の先端に突き合わされた状態で固定されている。このようにして、上部筐体３０と下部筐体４０との間に基板収容室２１が構成されている。
【００２４】
また、下部筐体４０における主壁部４１には、長手方向において、一端４０ａ側から、中央よりも他端４０ｂ側の位置まで、外壁面４１ａから厚さ方向に凹んだ電池収容室４３が形成されている。この電池収容室４３は、厚さ方向の各断面輪郭が略方形となっており、比較的に浅く凹んでいる。このようにして、図３に示すように、電池収容室４３と基板収容室２１とが、厚さ方向に隣接して設けられている。
なお、外壁面４１ａにおいて、電池収容室４３の縁部のうち他端４０ｂ側の縁部からは、電池止爪４４が一端４０ａ側に延出している。
【００２５】
図４は、図２におけるII矢視図である。
下部筐体４０は、図２及び図４に示すように、主壁部４１において、電池収容室４３と基板収容室２１とを連通させる三つの貫通孔４５を有している。各貫通孔４５は、電池収容室４３における床部４３ａと、床部４３ａを囲繞する壁部４３ｂのうち他端４０ｂ側の側壁部４３ｃとに亘って、スリット状に形成されている。このような貫通孔４５が、下部筐体４０の幅方向において所定の間隔を空けて三つ連設されている。
【００２６】
このような下部筐体４０は、主壁部４１の内壁面４１ｂから側壁部４３ｃに沿って厚さ方向に延出すると共に、貫通孔４５のうち側壁部４３ｃに形成された部分に、間隙を介して対向する受圧壁４６を有している。
【００２７】
蓋体５０は、下部筐体４０の周壁部４２に形成されたスライド溝（不図示）に沿ってスライドして、電池収容室４３を閉塞するように構成されている（図１及び図２参照）。
【００２８】
図２に示すように、基板６０は、基板本体６１及び駆動端子６２を有している。
基板本体６１は、所定の回路パターンが印刷されると共に、各種電子素子が実装されている。この基板本体６１は、筐体２０と比べて、長手方向及び幅方向の寸法が、やや小さくなっており、図３に示すように、基板収容室２１において主壁部４１に沿って設けられている。
【００２９】
駆動端子６２は、基板本体６１の長手方向において、中央やや他端４０ｂ側に位置しており、基板本体６１を基板収容室２１に収容した場合において三つの貫通孔４５に対応するそれぞれの位置に三つ形成されている。
【００３０】
図５は、駆動端子６２の拡大斜視図である。
各駆動端子６２は、図５に示すように、無負荷状態において（図６参照）、基板本体６１から立ち上がって法線方向に延びた後に、前方側に円弧状に折り返された第一屈曲部６２ａを介して基板本体６１近傍まで略垂下し、その後、緩やかに折り返された第二屈曲部６２ｂを介して前方側に向けて斜めに延び、再度緩やかに折り返された第三屈曲部６２ｃを介して後方側の第一屈曲部６２ａ近傍まで延びている。なお、第三屈曲部６２ｃには、前方側に突出する突部６２ｅが形成されている。
この駆動端子６２は、電池７０が未装着の状態においては（図６参照）、第二屈曲部６２ｂから終端部６２ｄのうち、第三屈曲部６２ｃ側の一部が、貫通孔４５を介して電池収容室４３に位置するようになっているが、電池７０が装着された状態においては、図３に示すように、電池７０によって主壁部４１に沿った方向に押圧され、電池７０と受圧壁４６との間で弾性変形をしている。
【００３１】
電池７０は、図２に示すように、所謂電池パック型のものであり、板状に形成された電池本体７１と、この電池本体７１の一側部７１ａに形成された三つの窪み部７１ｂにそれぞれ接続端子７２とを有している。この電池７０は、電池収容室４３よりも僅かに小さく構成されている。
【００３２】
次に、上記の構成からなる治療器１の組立作業について、図を用いて説明する。
まず、図６に示すように、駆動端子６２を貫通孔４５に挿入すると共に、基板６０を下部筐体４０の主壁部４１に沿わせた状態とする（矢印Ａ）。
この状態において、電池７０を斜めにした状態で、一側部７１ａ側を電池収容室４３内に位置させると共に、床部４３ａに沿って他端４０ｂ側にスライド移動させる（矢印Ｂ）。このようにして、三つの接続端子７２を、三つの駆動端子６２と接触させる。より詳細には、各接続端子７２を駆動端子６２の突部６２ｅに接触させる。
【００３３】
突部６２ｅを接続端子７２と接触させた後に、一側部７１ａが側壁部４３ｃに当接するまで、さらにスライド移動させる。
このようにすると、図７に示すように、主壁部４１に沿った方向に向けて駆動端子６２が押圧されて、受圧壁４６に押し付けられる。この過程で、受圧壁４６と電池７０との間において、駆動端子６２が弾性変形をする。
【００３４】
一側部７１ａを側壁部４３ｃに押し当てた後に、傾いた姿勢の電池７０を、一側部７１ａを回転中心として、床部４３ａに近接させるように回動させる（矢印Ｃ）。そして、一側部７１ａを側壁部４３ｃに押し当てた状態で、電池７０全体を電池収容室４３に収容する。この状態においては、側壁部４３ｃに対向する壁部４３ｄと電池７０との隙間に僅かにスペースＳが生じている。
【００３５】
一側部７１ａが側壁部４３ｃへ押し付けられなくなると、図８に示すように、駆動端子６２の弾性復帰力により、電池７０が押し返される（矢印Ｄ）。すなわち、電池７０がスペースＳ分だけ一端４０ａ側に移動して（図７参照）、壁部４３ｄに押し付けられる。なお、この状態においても、図８に示すように、駆動端子６２は、電池７０と受圧壁４６との間で弾性変形をしたままである。
【００３６】
このように、弾性変形した駆動端子６２が、下部筐体４０の受圧壁４６に押し付けられており、これら駆動端子６２と受圧壁４６とが摩擦力によって係合するために、基板６０が主壁部４１に沿った状態で、下部筐体４０に係止される。
【００３７】
この状態においては、図９に示すように、基板６０のうち一端４０ａ側に位置する部位において主壁部４１から離間する方向に外力Ｆ１が作用した場合には、駆動端子６２と受圧壁４６との接触部が回転中心となって、基板６０のうち他端４０ｂ側に位置する部位が下部筐体４０に押し付けられる（矢印Ｐ１）。
一方、図１０に示すように、基板６０のうち他端４０ｂ側に位置する部位において主壁部４１から離間する方向に外力Ｆ２が作用した場合には、駆動端子６２と受圧壁４６との接触部が回転中心となって、一端４０ａ側が下部筐体４０に押し付けられる（矢印Ｐ２）。
すなわち、基板６０の長手方向における一部に、主壁部４１から離間する方向に外力が作用したとしても、基板６０と主壁部４１とが離間し難い。
【００３８】
また、図１１に示すように、基板６０の長手方向の全体に、主壁部４１から離間する方向に、駆動端子６２と受圧壁４６との摩擦力を超える外力が作用したとしても、突部６２ｅが窪み部７１ｂに引っ掛かかるために、基板６０と主壁部４１とが離間し難い。
【００３９】
一方、電池７０は、駆動端子６２の弾性復帰力により、壁部４３ｄに押圧されており、主壁部４１から離間する方向の外力が作用しても、主壁部４１から離間し難くなっている。さらに、電池止爪４４が、電池本体７１の一部を覆っているために、主壁部４１から電池７０が、より離間し難くなっている。
【００４０】
下部筐体４０と、基板６０と、電池７０とを上記のように係止した後に、下部筐体４０の周壁部４２の先端と、上部筐体３０の周壁部３２の先端とが付き合わされて、基板収容室２１が閉塞された空間となる。また、下部筐体４０に蓋体５０が取り付けられて、電池収容室４３が閉塞された空間となる（図３参照）。
その後、治療器本体１０と、プローブ２とが接続されて、治療器１の組み立てが終了する（図１参照）。
【００４１】
治療器１の分解作業時には、上記組み立て作業時と反対の順序の工程を行う。
すなわち、治療器１を、プローブ２と治療器本体１０とに分離した後に筐体２０から蓋体５０を取り外して、上部筐体３０と下部筐体４０とを分割する。
次に、図８に示すように、電池を矢印Ｄと反対方向に移動させた後に、図７に示すように、スペースＳを利用して電池７０を引っ掛けるようにして、電池７０を矢印Ｃとは反対方向に持ち上げる。
次に、図６に示すように、矢印Ｂとは反対側に電池７０を移動させて、駆動端子６２と受圧壁４６との係合を解消させて、電池７０を下部筐体４０から離間させる。なお、この際、電池７０には駆動端子６２の弾性復帰力が作用するために、意図的に電池７０を移動させることなく、駆動端子６２と受圧壁４６との係合が解消される。
最後に、基板６０と下部筐体４０とを離間させて、分解作業を完了させる。
【００４２】
以上、説明したように、駆動端子６２が、電池７０により隔壁に沿った方向に押圧されて、駆動端子６２と下部筐体４０の受圧壁４６との係合により、基板６０が下部筐体４０に係止されているので、基板６０を下部筐体４０に固定するためのネジを用いる必要がない。これにより、薄型化・小型化に寄与することができる。
また、電池７０を下部筐体４０に装着すると基板６０が係止されると共に、電池７０を下部筐体４０から離脱させると基板６０の係止が解除される。これにより、組立と分解とを容易にすることができる。
従って、薄型化・小型化を図ることができると共に、組立と分解とが容易で生産性やメンテナンス性に優れた治療器１を提供することができる。このような治療器１によれば、場所を選ばずに常に治療を行うことができるので、運動者のコンディションを良好に維持することが可能となる。
【００４３】
また、電池７０が駆動端子６２の弾性復帰力により壁部４３ｄに押圧されて下部筐体４０に係止されているので、電池７０を係止する構造を別途設ける必要がない。これにより、より薄型化・小型化に寄与することができる。
【００４４】
また、貫通孔４５が、電池収容室４３の床部４３ａから側壁部４３ｃに亘って形成されており、受圧壁４６が、側壁部４３ｃに沿うと共に、貫通孔４５のうち側壁部４３ｃに形成された部分に、間隙を介して対向しているので、押圧方向（主壁部４１に沿った方向）において電池７０と受圧壁４６とが直線上に位置する。これにより、駆動端子６２を、小さい押圧力で大きく弾性変形させることができ、基板６０を強固に係止することが可能となる。
【００４５】
また、駆動端子６２が、基板６０の長手方向における中央側に設けられているので、基板６０の長手方向における一方の端部側に、下部筐体４０から離間する方向へ外力が作用した場合に、駆動端子６２と受圧壁４６との接触点が回転中心となって、他方の端部側が下部筐体４０へ押し付けられ、基板６０が下部筐体４０から離間することが防止される。これにより、基板６０を下部筐体４０に対して、より強固に係止することができる。
【００４６】
また、電池本体７１が、内方側に凹むと共に接続端子７２が設けられた窪み部７１ｂを有し、駆動端子６２が、接続端子７２に向けて突出する突部６２ｅを有するので、仮に基板６０が下部筐体４０から離脱しそうになったときに、突部６２ｅが窪み部７１ｂに引掛かる。これにより、下部筐体４０から基板６０が離脱することを防止することができる。
【００４７】
なお、上述した実施の形態において示した動作手順、あるいは各構成部材の諸形状や組み合わせ等は一例であって、本発明の主旨から逸脱しない範囲において設計要求等に基づき種々変更可能である。
例えば、上述した実施の形態では、駆動端子６２を主壁部４１に沿った方向に押し付けるのを受圧壁４６としたが、次のような変形例が考えられる。
【００４８】
図１２は、治療器本体１０の変形例である治療器本体１００である。なお、治療器本体１０と同様の構成要素については、同一の符号を付して説明を省略する。
【００４９】
治療器本体１００においては、上述した受圧壁４６を設けずに、駆動端子６２の弾性変位可能な空間を大きく構成し、駆動端子６２を押し付ける対象を貫通孔４５の縁部４５ａとしている。すなわち、基板６０に下部筐体４０から離間する方向に力が作用したとしても、弾性変形した駆動端子６２が貫通孔４５の縁部４５ａに係合しているので、基板６０が下部筐体４０から離間することが防止される。
この構成によれば、受圧壁４６が貫通孔４５の縁部４６ａとされているので、簡素な構成で基板６０を係止することが可能となる。
【符号の説明】
【００５０】
１…治療器（電子機器）
１０，１００…治療器本体
２０…筐体
２０ａ…上面
２１…基板収容室
３０…上部筐体
４０…下部筐体
４１…主壁部（隔壁）
４３…電池収容室
４３ａ…床部
４３ｃ…側壁部
４５…貫通孔
４５ａ…縁部（受圧部）
４６…受圧壁（受圧部）
６０…基板
６１…基板本体
６２…駆動端子
６２ｅ…突部
７０…電池
７１…電池本体
７１ａ…一側部（側部）
７１ｂ…窪み部
７２…接続端子
【図１】
2010240164.tif 000003
【図２】
2010240164.tif 000004
【図３】
2010240164.tif 000005
【図４】
2010240164.tif 000006
【図５】
2010240164.tif 000007
【図６】
2010240164.tif 000008
【図７】
2010240164.tif 000009
【図８】
2010240164.tif 000010
【図９】
2010240164.tif 000011
【図１０】
2010240164.tif 000012
【図１１】
2010240164.tif 000013
【図１２】
2010240164.tif 000014